(57)【特許請求の範囲】
【請求項１】
光源を備え、
前記光源が取り付けられるボディと、
前記光源からの光を直接的に反射させるリフレクターと、
前記光源から前記ボディを介して伝達された熱を放熱する放熱フィンとを有し、
前記ボディと前記リフレクターと前記放熱フィンとが、金属の押出し加工又は引抜き加工により一体成形されて、押出し方向又は引抜き方向に長い長尺に形成されている灯具本体を備え、
前記灯具本体に取り付けられた着脱容易なコーンを備える、
ことを特徴とする照明器具。
【請求項２】
前記光源が取り付けられる側を上側、また、前記リフレクターの光出射口側を下側とし、さらに、前記灯具本体の長手方向に直交する断面における前記光源の中心を通って上下方向に延びる直線を前記灯具本体の中心線とすると、
前記リフレクターは、
前記中心線を基準として一方側に位置する第１反射面と他方側に位置する第２反射面とを有し、
前記第１反射面は前記光源からの光を前記他方側の斜め下方に向けて反射し、前記第２反射面は前記光源からの光を前記一方側の斜め下方に向けて反射する、
ことを特徴とする請求項１に記載の照明器具。
【請求項３】
前記リフレクターは、
前記断面における前記第１反射面と前記第２反射面とのうちの少なくとも一方の形状が、長軸を上下方向に向けた楕円の一部である、
ことを特徴とする請求項２に記載の照明器具。
【請求項４】
前記楕円は、
前記長軸が、前記中心線上に配置され、
上側の焦点が、前記光源の中心に配置されている、
ことを特徴とする請求項３に記載の照明器具。
【請求項５】
前記楕円は、
下側の焦点が、前記リフレクターの前記光出射口よりも下側に配置されている、
ことを特徴とする請求項４に記載の照明器具。
【請求項６】
前記リフレクターは、
前記断面における前記第１反射面と前記第２反射面とのうちの少なくとも一方の形状が、上側ほど前記中心線に近接する直線状である、
ことを特徴とする請求項２に記載の照明器具。
【請求項７】
前記リフレクターは、
前記断面における前記第１反射面と前記第２反射面とのうちの少なくとも一方の形状が、前記中心線と平行な直線状である、
ことを特徴とする請求項２に記載の照明器具。
【請求項８】
前記ボディは、
前記光出射口を覆う拡散板を水平に保持するための拡散板保持溝が、前記第１反射面及び前記第２反射面の下端に隣接するように形成されている、
ことを特徴とする請求項２ないし７のいずれか１項に記載の照明器具。
【発明の詳細な説明】
【技術分野】
【０００１】
本発明は、一方向に長く形成された照明器具に関する。
【背景技術】
【０００２】
一方向に長く形成された照明装置（照明器具）が特許文献１に開示されている。
【０００３】
この照明装置は、照明装置本体（灯具本体）を構成する中央板状部（ボディ）、両側部（放熱フィン）、及び内側面（リフレクター）がアルミニウムの押出し成形により、一体の長尺に形成されている。
【０００４】
この照明装置においては、光源からの光の一部は、透光部の表面で反射されるとともに、残りの光が透光部を通過する。透光部の表面で反射された光の一部は、内側面で再反射されて、透光部を通過する際に分散されて、下方に向けて照射される。
【０００５】
この照明装置によれば、照明装置本体を構成する中央板状部、両端部、及び内側面が一体成形されているので、これらが個別の部材として構成されている場合と比較して、組み立てが不要なため製造が容易である。また、各部材間に接合部がないため、熱伝導性及び放熱性に優れるという利点がある。
また、光源から出て透光部で反射された光をさらに内側面で再反射させて透光部を通過させているので、広範囲にわたって光を照射することができる。
【先行技術文献】
【特許文献】
【０００６】
【特許文献１】特開２００７−２６７２３号公報
【発明の概要】
【発明が解決しようとする課題】
【０００７】
しかしながら、特許文献１の照明装置によると、照明装置本体としては、光源からの光を直接的に反射して制御することができないため、光の制御は、専ら他の部材等（上述の例では透光部）に依存するという問題があった。
【０００８】
すなわち、照明装置の一部として、特許文献１の照明装置本体を組み込んだ場合、光の制御は他部材に依存するため、他部材等の光学設計上の制約や負担が大きくなってしまう。
【０００９】
本発明は、上述した事情に鑑みてなされたものであり、組み立てを含む製造が容易で、熱伝導性及び放熱性に優れたものでありながら、しかも、単体として光源からの光を制御することができる照明器具を提供することを目的とするものである。
【課題を解決するための手段】
【００１０】
請求項１に係る発明は、照明器具において、光源を備え、前記光源が取り付けられるボディと、前記光源からの光を直接的に反射させるリフレクターと、前記光源から前記ボディを介して伝達された熱を放熱する放熱フィンとを有し、前記ボディと前記リフレクターと前記放熱フィンとが、金属の押出し加工又は引抜き加工により一体成形されて、押出し方向又は引抜き方向に長い長尺に形成されている灯具本体を備え、前記灯具本体に取り付けられた着脱容易なコーンを備える、ことを特徴とする。
【００１１】
請求項２に係る発明は、請求項１に係る照明器具において、前記光源が取り付けられる側を上側、また、前記リフレクターの光出射口側を下側とし、さらに、前記灯具本体の長手方向に直交する断面における前記光源の中心を通って上下方向に延びる直線を前記灯具本体の中心線とすると、前記リフレクターは、前記中心線を基準として一方側に位置する第１反射面と他方側に位置する第２反射面とを有し、前記第１反射面は前記光源からの光を前記他方側の斜め下方に向けて反射し、前記第２反射面は前記光源からの光を前記一方側の斜め下方に向けて反射する、ことを特徴とする。
【００１２】
請求項３に係る発明は、請求項２に係る照明器具において、前記リフレクターは、前記断面における前記第１反射面と前記第２反射面とのうちの少なくとも一方の形状が、長軸を上下方向に向けた楕円の一部である、ことを特徴とする。
【００１３】
請求項４に係る発明は、請求項３に係る照明器具において、前記楕円は、前記長軸が、前記中心線上に配置され、上側の焦点が、前記光源の中心に配置されている、ことを特徴とする。
【００１４】
請求項５に係る発明は、請求項４に係る照明器具において、前記楕円は、下側の焦点が、前記リフレクターの前記光出射口よりも下側に配置されている、ことを特徴とする。
【００１５】
請求項６に係る発明は、請求項２に係る照明器具において、前記リフレクターは、前記断面における前記第１反射面と前記第２反射面とのうちの少なくとも一方の形状が、上側ほど前記中心線に近接する直線状である、ことを特徴とする。
【００１６】
請求項７に係る発明は、請求項２に係る照明器具において、前記リフレクターは、前記断面における前記第１反射面と前記第２反射面とのうちの少なくとも一方の形状が、前記中心線と平行な直線状である、ことを特徴とする。
【００１７】
請求項８に係る発明は、請求項２ないし７のいずれか１項に係る照明器具において、前記ボディは、前記光出射口を覆う拡散板を水平に保持するための拡散板保持溝が、前記第１反射面及び第２反射面の下端に隣接するように形成されている、ことを特徴とする。
【発明の効果】
【００１９】
請求項１の発明によれば、灯具本体は、ボディとリフレクターと放熱フィンとが金属の押出し加工又は引抜き加工により一体成形されている。これにより、これらボディとリフレクターと放熱フィンとが個別に形成されて組み立てられる場合と比較して、組み立てが不要であるので製造が容易である。
【００２０】
また、灯具本体は、全体が金属でできていて、全体がヒートシンクとして作用し、さらにボディとリフレクターと放熱フィンとの間に接合部がないため、光源で発生した熱の熱伝導性及び放熱性が高い。これにより、灯具本体及び灯具本体を備えた照明器具の小型化に寄与する。
【００２１】
さらに、灯具本体は、光源からの光をリフレクターで、直接的に反射することができるので、灯具本体の単体として光源からの光を反射させて制御した光として出射することができる。
さらにまた、コーンは、灯具本体に対して着脱容易に取り付けられているので、その交換が容易である。
【００２２】
請求項２の発明によれば、リフレクターは、中心線を基準として一方側に位置する第１反射面と他方側に位置する第２反射面とを有し、第１反射面は光源からの光を他方側の斜め下方に向けて反射し、第２反射面は光源からの光を一方側の斜め下方に向けて反射することにより制御する。
【００２３】
請求項３の発明によれば、リフレクターは、断面における第１反射面と第２反射面とのうちの少なくとも一方の形状が、長軸を上下方向に向けた楕円の一部である。これにより、光源から出て上側の焦点を通る光は、第１反射面又は第２反射面で反射されて下側の焦点を通ることになり、光の制御性を高めることができる。
【００２４】
請求項４の発明によれば、楕円は、長軸が中心線上に配置され、さらに、上側の焦点が光源の中心に配置されている。これにより、光源の中心（上側の焦点）から出た光は、第１反射面又は第２反射面で反射されて下側の焦点を通る。つまり、光源の中心から出た光の制御性をさらに高めることができる。
【００２５】
請求項５の発明によれば、楕円は、下側の焦点が、リフレクターの光出射口よりも下側に配置されている。これにより、上側の焦点を通った光は、リフレクターで反射されて、下側の焦点を通り、斜め下方に向けて照射される。
【００２６】
請求項６の発明によれば、リフレクターは、断面における第１反射面と第２反射面とのうちの少なくとも一方の形状が、上側ほど中心線に近接する直線状に形成されている。これにより、光源から出て一方の反射面に当たった光は、斜め下方に向けて反射される。
【００２７】
請求項７の発明によれば、リフレクターは、断面における第１反射面と第２反射面とのうちの少なくとも一方の形状が、中心線と平行な直線状に形成されている。これにより、光源から出て一方の反射面に当たった光は、入射角と同じ反射角で斜め下方に向けて反射される。
【００２８】
請求項８の発明によれば、ボディは、光出射口を覆う拡散板を水平に保持するための拡散板保持溝が、第１反射面及び第２反射面の下端に隣接するように形成されている。言い換えると、反射面は、拡散板保持溝まで長く延ばされている。これにより、反射する光の光量、つまり制御可能な光の光量を増加させることができる。
【図面の簡単な説明】
【００２９】
【図１】照明器具１の、長手方向に直交する断面を前側から見た図である。
【図２】図１中の第３反射面２２ａ１による光の反射を説明する図である。
【図３】取付フレーム３０に対する照明器具１の取付けを説明する、斜め上方から見た斜視図である。
【図４】取付フレーム３０に対する照明器具１の取付けを説明する、斜め下方から見た斜視図である。
【図５】（Ａ），（Ｂ）は天井Ｃに対する取付フレーム３０の取付けを説明する図であり、（Ａ）は長手方向に直交する方向から見た図、（Ｂ）は長手方向から見た図である。
【図６】（Ａ），（Ｂ）は取付フレーム３０に対する照明器具１の取付けを説明する図であり、（Ａ）は長手方向に直交する方向から見た図、（Ｂ）は長手方向から見た図である。
【図７】（Ａ），（Ｂ）は取付フレーム３０に取り付けた後の照明器具１を説明する図であり、（Ａ）は長手方向に直交する方向から見た図、（Ｂ）は長手方向から見た図である。
【図８】照明器具２の、長手方向に直交する断面を示す図である。
【図９】照明器具３の、長手方向に直交する断面を示す図である。
【図１０】（Ａ）は照明器具４の、長手方向に直交する断面を示す図であり、（Ｂ）は照明器具５の、長手方向に直交する断面を示す図である。
【発明を実施するための形態】
【００３０】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３１】
図１〜図７を参照して本発明を適用した灯具本体１０、及び本発明を適用した照明器具１について説明する。なお、照明器具１は、埋め込みタイプのダウンライトであり、これが天井Ｃ（図５〜図７参照）に取り付けられる場合を例に説明する。
【００３２】
図１〜図７のうち、図１は、照明器具１の、長手方向（前後方向）に直交する断面を前側から見た図である。また、図２は、図１中の第３反射面２２ａ１による光の反射を説明する図である。また、図３は、取付フレーム３０に対する照明器具１の取付けを説明する、斜め上方から見た斜視図である。また、図４は、取付フレーム３０に対する照明器具１の取付けを説明する、斜め下方から見た斜視図である。
【００３３】
なお、以下の説明では、説明の便宜上、図１中及び図３中の左上に矢印で示す上下前後左右が灯具本体１０、照明器具１等の上下前後左右に対応するものとして説明するが、これに限定されるものではない。
【００３４】
照明器具１は、図１に示すように、灯具本体（照明器具本体）１０とコーン２０，２０とを備えている。照明器具１においては、灯具本体１０及びコーン２０，２０は、左右方向に直交する平面Ｈを基準として、左側に位置する部分と右側に位置する部分とが面対称となっている。また、照明器具１は、前後方向に長く形成されていて、長手方向に直交する断面（以下単に「断面」という。）は、前端及び後端の一部を除いて、図１に示す形状と同形状となる。上述の平面Ｈのうちの、図１に示す断面に現れる線が中心線Ｃｎとなる。
【００３５】
灯具本体１０は、ボディ１１、リフレクター１２、放熱フィン１３、及びホルダ１４を備えている。これらボディ１１、リフレクター１２、放熱フィン１３、及びホルダ１４は、金属の押出し加工又は引抜き加工により一体成形されて、押出し方向又は引抜き方向に長い長尺に形成されている。つまり、灯具本体１０は、前後方向に長い長尺に形成されていて、前後方向の任意の位置における断面の形状が図１に示す形状となっている。
【００３６】
ボディ１１は、図１に示すように、光出射口（開口部）Ｋを下方に向けた「コ」字形に形成されている。すなわち、ボディ１１は、天井部１１ａと、この天井部１１ａの左右両端から下方に延びる一対の側壁部１１ｂとを有している。天井部１１ａの下面は、光源取付面１１ｃとなっていて、光源１５が取り付けられている。光源取付面１１ｃの左右方向の中心（中心線Ｃｎ上）には、前後方向に沿って光源１５が配設されている。光源１５は、例えば、ＬＥＤ（不図示）を前後方向に等間隔で多数配設して構成することができる。なお、光源１５としては、ＬＥＤに限定されるものではない。
【００３７】
リフレクター１２は、中心線Ｃｎを基準として左側（一方側）に位置する左側部分と、右側（他方側）に位置する右側部分に分かれている。左側部分の内面には、第１反射面１２ａ１が形成され、また、右側部分には、第２反射面１２ａ２が形成されている。図１に示す灯具本体１０においては、第１反射面１２ａ１と第２反射面１２ａ２とは同形状に形成されているが、これに限定されるものではない。
【００３８】
第１反射面１２ａ１、第２反射面１２ａ２は、断面の形状が、第１の楕円（楕円）Ａの一部である。この第１の楕円Ａは、長軸Ａ１を上下方向に向けた楕円である。また、図示例では、長軸Ａ１は、中心線Ｃｎ上に配置され、さらに、上側の焦点Ａａが光源１５の中心に配置されている。そして、下側の焦点Ａｂは、リフレクター１２の光出射口Ｋよりも下側に配置されている。
【００３９】
ボディ１１における側壁部１１ｂ，１１ｂの下端部には、内側に拡散板保持溝１１ｄ，１１ｄが形成されている。拡散板保持溝１１ｄ，１１ｄは、それぞれ第１反射面１２ａ１、第２反射面１２ａ２の下端１２ｂ，１２ｂに隣接するように形成されている。言い換えると、第１反射面１２ａ１、第２反射面１２ａ２は、拡散板保持溝１１ｄ，１１ｄまで延びるように形成されていて、反射面の面積を大きく確保している。これにより、第１反射面１２ａ１、第２反射面１２ａ２で反射することができる光の光量、すなわち制御できる光量を多くしている。拡散板保持溝１１ｄ，１１ｄは、それぞれ長板状の拡散板１６の左端部、右端部を下方から支えて、拡散板１６全体を水平に保持している。
なお、第１反射面１２ａ１、第２反射面１２ａ２の反射率を高めるために、例えば、反射シート（不図示）を貼着するようにしてもよい。
【００４０】
放熱フィン１３は、ボディ１１における天井部１１ａの上面から上方に向かって板状に突設されている。放熱フィン１３は、左右方向に等間隔で複数配設されている。放熱フィンは、光源１５で発熱してボディ１１を介して伝達された熱を放熱するものである。
【００４１】
ホルダ１４，１４は、ボディ１１の天井部１１ａにおける左右方向の両端のそれぞれから上方に向かって突設されている。ホルダ１４，１４は、上端に内側に向かって屈曲された屈曲部１４ａを有している。この屈曲部１４ａは、図３に示すように、Ｖ字ばね１８を保持する保持金具１７や安全ワイヤ３３を繋ぐ連結金具１９を支持するためのものである。
【００４２】
上述の灯具本体１０は、全体が平面Ｈに対して面対称に構成されている。すなわち、灯具本体１０を構成するボディ１１、リフレクター１２、放熱フィン１３、及びホルダ１４のそれぞれが平面Ｈに対して面対称に構成あるいは配置されている。
次に、コーン２０，２０について説明する。
【００４３】
照明器具１においては、左右のコーン２０，２０は、同形状に形成され、上述の灯具本体１０と同様、前後方向に長く形成されている。コーン２０，２０は、それぞれ個別にボディ１１の左側の側壁部１１ｂの下端部、右側の側壁部１１ｂの下端部に着脱容易（交換容易）に取り付けられている。
【００４４】
各コーン２０は、取付部２１とフード部２２とを有している。このうち取付部２１は、「Ｌ」字形に形成されていて、上述のボディ１１の側壁部１１ｂの下端部に取り付けられる部分である。
【００４５】
左側のフード部２２の内側には、第３反射面２２ａ１が形成されている。第３反射面２２ａ１は、図２に示すように、断面における形状が、基準線Ｃｍを基準とする放物線の一部となっている。この基準線Ｃｍは、中心線Ｃｎの右側、つまり第３反射面２２ａ１からは中心線Ｃｎよりも遠い側）に位置し、かつ中心線Ｃｎに平行な線である。ここで、拡散板１６と中心線Ｃｎとの交点を点１６ｏ、また、拡散板１６と基準線Ｃｍとの交点を点１６ａ、さらに、拡散板１６における点１６ｏよりも左側に位置する点を点１６ｂとすると、上述の放物線は、点１６ａを焦点Ｆとする放物線である。なお、第３反射面２２ａ１の上端２２ｂ（図１参照）は、光源１５からの直接光の照射角度を規制する点となる。
【００４６】
図２に示すように、第３反射面２２ａ１は、上述のような放物線の一部によって構成されているので、点１６ａからの光は直下（中心線Ｃｎと平行）に反射し、点１６ｏからの光は中心線Ｃｎから離れるように反射し、そして、点１６ｂからの光は中心線Ｃｎからさらに離れるように反射する。このため、第３反射面２２ａ１は、直線状に形成されている場合や点１６ｏに焦点を有する放物線の一部によって構成されている場合と比較して、例えば、矢印Ｋ方向から第３反射面２２ａ１を見た際の反射グレアを有効に低減することができる。
以上では、左側のコーン２０の第３反射面２２ａ１について説明したが、右側のコーン２０の第４反射面２２ａ１についても同様である。
次に、図５〜図７を参照して、天井Ｃに対する照明器具１の取付けについて説明する。
【００４７】
ここで、図５（Ａ），（Ｂ）は天井Ｃに対する取付フレーム３０の取付けを説明する図であり、（Ａ）は長手方向に直交する方向から見た図、（Ｂ）は長手方向から見た図である。また、図６（Ａ），（Ｂ）は取付フレーム３０に対する照明器具１の取付けを説明する図であり、（Ａ）は長手方向に直交する方向から見た図、（Ｂ）は長手方向から見た図である。また、図７（Ａ），（Ｂ）は取付フレーム３０に取り付けた後の照明器具１を説明する図であり、（Ａ）は長手方向に直交する方向から見た図、（Ｂ）は長手方向から見た図である
【００４８】
図５〜図７に示すように、照明器具１を天井Ｃに取り付けるには、まず、取付フレーム３０を天井Ｃに固定し、その後、この取付フレーム３０に照明器具１を取り付ける。つまり、照明器具１は、取付フレーム３０を介して天井Ｃに取り付ける。
【００４９】
取付フレーム３０は、図３に示すように、前後方向に長い枠状のフレーム本体３１を有している。フレーム本体３１は、天部及び底部がなく、上下方向に貫通している。フレーム本体３１の上端には、前端側と後端側との２箇所にそれぞれ固定具３２が固定されている。この固定具３２の前後方向に直交する断面形状は、下方が開口された「コ」字形となっている。固定具３２の天部には、それぞれ前後方向に長い、ばね受け孔３２ａとボルト孔３２ｂとが穿設されている。さらに、安全ワイヤ３３が通される小孔３２ｃが穿設されている。
【００５０】
一方、照明器具１には、保持金具１７にコイル部１８ａが連結されたＶ字ばね１８、及び安全ワイヤ３３を繋ぐ連結金具１９が、ホルダ１４の屈曲部１４ａに引っかかるようにして配設されている。保持金具１７及び連結金具１９は、前後方向に移動可能である。
【００５１】
図５（Ａ），（Ｂ）に示すように、天井Ｃの裏面側には、上端をコンクリートで固定された取付ボルトＢｏが吊架されている。まず、天井Ｃの取付孔Ｃ１に、下方から取付フレーム３０を挿入して、取付ボルトＢｏの先端（下端）を固定具３２のボルト孔３２ｂに通す。取付ボルトＢｏの先端にナットＮを螺合させ、これを締め付けることで、取付フレーム３０全体を上昇させて、図６（Ａ），（Ｂ）に示すように、天井Ｃの取付孔Ｃ１に固定する。
【００５２】
つづいて、安全ワイヤ３３を照明器具１側の連結金具１９に連結する。Ｖ字ばね１８の上端を狭めて、固定具３２のばね受け孔３２ａに通して手を放す。取付フレーム３０の下方から照明器具１を押し上げると、Ｖ字ばね１８は、その上端の屈曲部１８ｂ側がばね受け孔３２ａの中で広がる。これにより、照明器具１を、Ｖ字ばね１８によって上方に付勢した状態で、取付フレーム３０を介して天井Ｃに取り付けることができる。
なお、照明器具１を天井Ｃから取り外す際には、以上説明した取付けと逆の手順で行うことができる。
図１を参照して、ダウンライトとしての照明器具１の配光について説明する。
【００５３】
ここで、上述したように、図１に示すリフレクター１２の第１反射面１２ａ１、第２反射面１２ａ２は、第１の楕円Ａの一部によって形成されている。そして、この第１の楕円Ａは、長軸Ａ１が、光源１５の中心を通る中心線Ｃｎ上に配置され、また、上側の焦点Ａａが光源１５の中心に配置され、さらに、下側の焦点Ａｂが光出射口Ｋよりも下方に配置されている。一方、第３反射面２２ａ１、第４反射面２２ａ２は、図２で説明した放物線の一部によって形成されている。
【００５４】
これにより、光源１５の中心から出て、第１反射面１２ａ１における上下方向のほぼ中央、及び下端１ｂに当たった光Ｌ１，Ｌ２は、下側の焦点Ａｂを通って右斜め下方に向かって床面ＦＬを照射する。また、光源１５の中心から出た光Ｌ３は、直接光として直下に進み、光Ｌ４は第３反射面２２ａ１の上端２２ｂ近傍を通って、直接光として左斜め下方に向かう。
【００５５】
以上では、光源１５の中心から左側に向かって出た光Ｌ１〜Ｌ４について説明したが、右側に向かって出た光についても同様である。これにより、床面ＦＬにおける左右方向及び前後方向の比較的広い領域が均一に照射される。
このとき、第３反射面２２ａ１は、上述の放物線の一部で構成されているので、図２中の矢印Ｋ方向から見たときの反射グレアを低減することができる。
なお、光源１５から出た光は、直接光も反射光も、拡散板１６で適宜に拡散された後、光出射口Ｋから出射される。
以下に、上述の灯具本体１０及び照明器具１の作用、効果を整理する。
【００５６】
・灯具本体１０は、ボディ１１とリフレクター１２と放熱フィン１３とが金属の押出し加工又は引抜き加工により一体成形されている。これにより、これらボディ１１とリフレクター１２と放熱フィン１３とが個別に形成されて組み立てられる場合と比較して、組み立てが不要であるので製造が容易である。
【００５７】
また、灯具本体１０は、全体が金属でできていて、全体がヒートシンクとして作用し、さらにボディ１１とリフレクター１２と放熱フィン１３との間に接合部がないため、光源１５で発生した熱の熱伝導性及び放熱性が高い。これにより、灯具本体１０、及びこれを備えた照明器具１の小型化に寄与する。
【００５８】
さらに、灯具本体１０は、光源１５からの光をリフレクター１２で、直接的に反射することができるので、灯具本体１０の単体として光源１５からの光を反射させて制御した光として出射することができる。
【００５９】
・リフレクター１２は、中心線Ｃｎを基準として一方側に位置する第１反射面１２ａ１と他方側に位置する第２反射面１２ａ２とを有し、第１反射面１２ａ１は光源１５からの光を他方側の斜め下方に向けて反射し、第２反射面１２ａ２は光源１５からの光を一方側の斜め下方に向けて反射する。これにより、光を制御することができる。
【００６０】
・リフレクター１２は、第１反射面１２ａ１と第２反射面１２ａ２とのうちの少なくとも一方の形状が、長軸Ａ１を上下方向に向けた第１の楕円（楕円）Ａの一部である。これにより、光源１５から出て上側の焦点Ａａを通る光は第１反射面１２ａ１又は第２反射面１２ａ２で反射されて下側の焦点Ａｂを通ることになり、光の制御性を高めることができる。
【００６１】
・第１の楕円Ａは、長軸Ａ１が中心線Ｃｎ上に配置され、さらに、上側の焦点Ａａが光源１５の中心に配置されている。これにより、光源１５の中心（上側の焦点Ａａ）から出た光は、第１反射面１２ａ１又は第２反射面１２ａ２で反射されて下側の焦点Ａｂを通る。つまり、光源１５の中心から出た光の制御性をさらに高めることができる。
【００６２】
・第１の楕円Ａは、下側の焦点Ａｂが、リフレクター１２の光出射口Ｋよりも下側に配置されている。これにより、上側の焦点Ａａを通った光は、リフレクター１２で反射されて、下側の焦点Ａｂを通り、斜め下方に向けて照射される。
【００６３】
・ボディ１１は、光出射口Ｋを覆う拡散板１６を水平に保持するための拡散板保持溝１１ｄが、第１反射面１２ａ１及び第２反射面１２ａ２の下端１２ｂに隣接するように形成されている。言い換えると、第１反射面１２ａ１及び第２反射面１２ａ２の下端１２ｂは、拡散板保持溝１１ｄまで長く延ばされている。これにより、反射する光の光量、すなわち制御可能な光の光量を増加させることができる。
【００６４】
・照明器具１において、リフレクター１２は、中心線Ｃｎを基準として一方側に位置する第１反射面１２ａ１と他方側に位置する第２反射面１２ａ２とを有し、第１反射面１２ａ１は光源１５からの光を他方側の斜め下方に向けて反射し、第２反射面１２ａ２は光源１５からの光を一方側の斜め下方に向けて反射する。また、コーン２０は、光源１５からの光又はリフレクターからの光を反射させる第３反射面２２ａ１又は第４反射面２２ａ２を有している。これにより、第１反射面１２ａ１又は第２反射面１２ａ２からの反射光を、第３反射面２２ａ１又は第４反射面２２ａ２で反射させることができ、光の制御性を高めることができる。
＜実施形態２＞
図８，図９を参照して本発明を適用した照明器具２，３について説明する。
【００６５】
ここで、図８は、照明器具２の、長手方向に直交する断面を示す図である。また、図９は、照明器具３の、長手方向に直交する断面を示す図である。ここで、照明器具３は、照明器具２の第４反射面５３ａを変形したものである。
これら照明器具２，３は、ウォールウォッシャータイプのダウンライト、すなわち床面ＦＬばかりでなく壁面Ｗも照明することができる照明器具である。
【００６６】
照明器具２は、図８に示すように、灯具本体（照明器具本体）１０とコーン５０Ａ，５０Ｂとを備えている。なお、照明器具２の灯具本体１０は、上述の実施形態１の照明器具１の灯具本体１０と同様である。すなわち、灯具本体１０は、リフレクター１２，１２が、それぞれ第１反射面１２ａ１、第２反射面１２ａ２を有している。さらに、第１反射面１２ａ１及び第２反射面１２ａ２は、断面の形状が、第１の楕円Ａの一部によって形成されている。この第１の楕円Ａは、長軸Ａ１を上下方向に向けた楕円である。また、長軸Ａ１は、中心線Ｃｎ上に配置され、さらに、上側の焦点Ａａが光源１５の中心に配置されている。そして、下側の焦点Ａｂは、リフレクター１２の光出射口Ｋよりも下側に配置されている。
【００６７】
コーン５０Ａ，５０Ｂは、灯具本体１０と同様、前後方向に長く形成されている。コーン５０Ａ，５０Ｂは、それぞれ取付部５１，５１と、フード部５２，５３とを有している。このうち取付部５１は、「Ｌ」字形に形成されていて、上述のボディ１１の側壁部１１ｂ，１１ｂの下端部に取り付けられる部分である。一方、フード部５２，５３は、中心線Ｃｎの左側に位置する左側のフード部５２と右側に位置する右側のフード部５３とが異なる形状に形成されている。
【００６８】
左側のフード部５２は、内側に第３反射面５２ａを有している。第３反射面５２ａは、全体として上側ほど中心線Ｃｎに近づく傾斜状に形成され、さらに、反射グレアを低減するためのバッフル加工が施されている。これに対し、右側のフード部５３は、内面に第４反射面５３ａを有している。この第４反射面５３ａは、中心線Ｃｎに対して傾斜した長軸Ｂ１を有する第２の楕円Ｂの一部によって形成されている。長軸Ｂ１は、下端側が中心線Ｃｎの左側に位置する方向、つまり壁面Ｗに向いた方向に傾斜している。また、第２の楕円Ｂの上側の焦点Ｂａは、中心線Ｃｎ上に位置し、かつ第１の楕円Ａの下側の焦点Ａｂと一致している。さらに、第２の楕円Ｂの下側の焦点Ｂｂは、第３反射面５２ａの下端近傍における天井Ｃよりも少し下側で、第４反射面５３ａの下端５３ｃと同じ高さ又はこれよりも少し上側に配置されている。
【００６９】
また、右側のコーン５０Ｂには、第２反射面５３ａの下端５３ｃよりも少し上に拡散板保持溝５３ｂが形成されている。この拡散板保持溝５３ｂと、ボディ１１の左側の下端近傍の拡散板保持溝１１ｄとによって、拡散板５４（図９参照）の左右の両端部をそれぞれ支えて、拡散板５４を、壁面側が上に傾斜した姿勢で保持している。この拡散板５４は、第２の楕円Ｂの長軸Ｂ１に交差している。
【００７０】
図８を参照して、ウォールウォッシャータイプのダウンライトとしての照明器具２の配光について説明する。なお、図８を参照して以下で説明する光Ｌ１〜Ｌ８は、いずれも光源１５の中心（第１の楕円Ａの上側の焦点Ａａ）から出るものとする。
【００７１】
光Ｌ１は、第２反射面１２ａ２における上下方向のほぼ中央で反射され、第１の楕円Ａの下側の焦点Ａｂ（第２の楕円Ｂの上側の焦点Ｂａ）を通って、左斜め下方に進む。
光Ｌ２は、第２反射面１２ａ２の下端１２ｂで反射され、第１の楕円Ａの下側の焦点Ａｂ（第２の楕円Ｂの上側の焦点Ｂａ）を通って、左斜め下方に進む。
【００７２】
光Ｌ３は、第１反射面１２ａ１における上下方向のほぼ中央で反射され、第１の楕円Ａの下側の焦点Ａｂ（第２の楕円Ｂの上側の焦点Ｂａ）を通って、第４反射面５３ａの下端近傍で再度反射され、第２の楕円Ｂの下側の焦点Ｂｂを通って壁面Ｗに向かう。
【００７３】
光Ｌ４は、第１反射面１２ａ１の下端１２ｂで反射され、第１の楕円Ａの下側の焦点Ａｂ（第２の楕円Ｂの上側の焦点Ｂａ）を通って、第４反射面５３ａで再度反射され、第２の楕円Ｂの下側の焦点Ｂｂを通って壁面Ｗに向かう。
【００７４】
光Ｌ５〜Ｌ８については、光Ｌ５は、第４反射面５３ａで反射されて左斜め下方に向かう光である。光Ｌ６は、第４反射面５３ａの下端５３ｃを通って右斜め下方に向かう直接光である。光Ｌ７は、第４反射面５３ａの下端５３ｃ近傍で反射されて左斜め下方に向かう光である。そして、光Ｌ８は、第３反射面５２ａの上端を通って左斜め下方に向かう光である。
【００７５】
照明器具２においては、上述の光Ｌ１〜Ｌ８等によって、床面ＦＬ及び壁面Ｗを照射することができる。つまり、ウォールウォッシャータイプのダウンライトとして機能する。
次に、以上説明した照明器具２の作用、効果を以下に整理する。
【００７６】
・コーン５０Ａ，５０Ｂは、断面における第３反射面５２ａと第４反射面５３ａとのうちの少なくとも一方（図８に示す例では、第４反射面５３ａ）の形状が、中心線Ｃｎに対して傾斜した長軸Ｂ１を有する第２の楕円Ｂの一部によって形成されているため、第２の楕円Ｂの上側の焦点Ｂａを通る光が第２の楕円Ｂの下側の焦点Ｂｂを通るので、壁面Ｗに向けた光の制御性を高めることができる。
・第２の楕円Ｂは、上側の焦点Ｂａが中心線Ｃｎ上に位置するので、さらに、光の制御性を高めることができる。
・第２の楕円Ｂは、上側の焦点Ｂａが、第１の楕円の下側の焦点Ａｂと一致するので、さらに、一層光の制御性を高めることができる。
【００７７】
・第２の楕円Ｂの上側の焦点Ｂａと下側の焦点Ｂｂとの間において、第２の楕円Ｂの長軸Ｂ１に交差する拡散板５４を備えているので、第２の楕円Ｂの上側の焦点Ｂａを通過した後の光を、下側の焦点Ｂｂを通過する前に拡散させることができる。
【００７８】
・拡散板５４は、断面における一方の端部がボディ１１によって支持され、他方の端部がコーン５０Ｂによって支持されているので、ボディ１１に対するコーン５０Ｂの着脱により、簡単に着脱することができる。
図９に示す照明器具３は、図８に示す照明器具２におけるコーン５０Ｂに代えて、コーン５０Ｂ´を取り付けている。他の構成は、照明器具２と同様である。
【００７９】
コーン５０Ｂ´の第４反射面５３ａは、図８に示す第２の楕円Ｂを少し上側に移動させて、上側の焦点Ｂａが、第１の楕円Ａの下側の焦点Ａｂよりも上側に位置するようにしたものである。
【００８０】
図８に示すように、照明器具２にあっては、光Ｌ１と光Ｌ２との間の領域Ｒ１２と、光Ｌ３と光Ｌ４との間の領域Ｒ３４とが、すくなくとも第２の楕円Ｂの下側の焦点Ｂｂよりも光の進行方向下流側において、オーバーラップしていない。このため、オーバーラップしない領域の光量が少なって、壁面Ｗにおける照射光の均一性が十分でない場合がある。
そこで、照明器具３においては、上述のように、第２の楕円Ｂの上側の焦点Ｂａが、第１の楕円Ａの下側の焦点Ａｂよりも上側に位置するようにした。
【００８１】
これにより、図８中の領域Ｒ１２に対応する、図９中の領域Ｒ１２´と、図８中の領域Ｒ３４に対応する、図９中の領域３４´との一部でオーバーラップする。これにより、この領域への光量を増加させて、壁面Ｗにおける照射光の均一性を一層、高めることができる。
＜実施形態３＞
図１０（Ａ），（Ｂ）を参照して本発明を適用した灯具本体１０Ａ，１０Ｂ、及びこれらを備えた照明器具４，５について説明する。
【００８２】
図１０（Ａ）に示す照明器具４は、図１に示す照明器具１における灯具本体１０の一部の形状を変更して、灯具本体１０Ａとしたものであり、他の構成は、灯具本体１０と同様である。
【００８３】
すなわち、照明器具１では、第１反射面１２ａ１、第２反射面１２ａ２は、第１の楕円Ａの一部によって形成されていた。これに対し、図１０（Ａ）に示す照明器具４では、断面における第１反射面１２ｃ１と第２反射面１２ｃ１とのうちの少なくとも一方（図示例では双方）の形状を、上側ほど中心線Ｃｎに近接する直線状に形成した。
これにより、照明器具４は、図１０（Ａ）に示すような配向を実現することができる。
【００８４】
次に、図１０（Ｂ）に示す照明器具５は、図８又は図９に示す照明器具２，３における灯具本体１０の一部の形状を変更して、灯具本体１０Ｂとしたものであり、他の構成は、灯具本体１０と同様である。
【００８５】
すなわち、照明器具２，３では、第１反射面１２ａ１、第２反射面１２ａ２は、第１の楕円Ａの一部によって形成されていた。これに対し、図１０（Ｂ）に示す照明器具５では、断面における第１反射面１２ｃ１と第２反射面１２ｃ１とのうちの少なくとも一方（図示例では双方）の形状を、上側ほど中心線Ｃｎに近接する直線状に形成した。
これにより、照明器具５は、図１０（Ｂ）に示すような配向を実現することができる。
【００８６】
なお、さらに、これらの第１反射面１２ｃ１，１２ｃ２に代えて、図１０（Ａ）中に二点鎖線で示すような、中心線Ｃｎと平行な直線状となるような第１反射面１２ｄ１、第２反射面１２ｄ２としてもよい。
【００８７】
このように、第１反射面及び第２反射面の形状については、所望の配光に応じて、適宜に選択することが可能であり、また、第１反射面と第２反射面との形状を同形状としても、また、異なる形状の組み合わせとしてもよい。
【符号の説明】
【００８８】
１，２，３，４，５  照明器具
１０，１０Ａ，１０Ｂ  灯具本体
１１    ボディ
１１ｄ，５３ｂ  拡散板保持溝
１２    リフレクター
１２ａ１，１２ｃ１，１２ｄ１  第１反射面
１２ａ２，１２ｃ２，１２ｄ２  第２反射面
１２ｂ  第反射面、第２反射面の下端
１３    放熱フィン
１５    光源
１６，５４  拡散板
２０，５０Ａ，５０Ｂ，５０Ｂ´  コーン
２２ａ１，５２ａ  第３反射面
２２ａ２，５３ａ  第４反射面
Ａ      第１の楕円（楕円）
Ａ１    第１の楕円の長軸
Ａａ    第１の楕円の上側の焦点
Ａｂ    第１の楕円の下側の焦点
Ｂ      第２の楕円
Ｂ１    第２の楕円の長軸
Ｂａ    第２の楕円の上側の焦点
Ｂｂ    第２の楕円の下側の焦点
Ｃｍ    基準線
Ｃｎ    中心線
Ｋ      光出射口
【図１】
0006533059.tif 000002
【図２】
0006533059.tif 000003
【図３】
0006533059.tif 000004
【図４】
0006533059.tif 000005
【図５】
0006533059.tif 000006
【図６】
0006533059.tif 000007
【図７】
0006533059.tif 000008
【図８】
0006533059.tif 000009
【図９】
0006533059.tif 000010
【図１０】
0006533059.tif 000011